(57)【要約】    【解決手段】  本発明の角質改善用積層シートは、粘着シート用支持体上に粘着剤層を設けてなる固定用粘着シートと、パッド用支持体上に保湿剤含有ポリマー層を設けてなる保湿用パッドとからなり、固定用粘着シートの粘着剤層上に、保湿用パッドのパッド用支持体が接するように固定されている角質改善用積層シートであって、  前記保湿剤含有ポリマー層１００重量％中に、保湿剤としてのグリセリンを２５〜５５重量％、かつ、グリセリンを含めた保湿剤を３０〜６０重量％の量で含むことを特徴としている。    【効果】  本発明によれば、グリセリンを含めた保湿剤を浸出・浸潤させることなく、保湿用パッドに多量に含有させることができ、皮膚への貼付時のみならず剥離後も保湿効果を持続できる上、糊残りやベタツキがなく使用感に優れる。    【選択図】  図１
2005053817.tif 000002
【特許請求の範囲】
【請求項１】
粘着シート用支持体上に粘着剤層を設けてなる固定用粘着シートと、
パッド用支持体上に保湿剤含有ポリマー層を設けてなる保湿用パッドとからなり、
固定用粘着シートの粘着剤層上に、保湿用パッドのパッド用支持体が接するように固定されている角質改善用積層シートであって、
前記保湿剤含有ポリマー層１００重量％中に、
保湿剤としてのグリセリンを２５〜５５重量％、かつ、グリセリンを含めた保湿剤を３０〜６０重量％の量で含むことを特徴とする角質改善用積層シート。
【請求項２】
前記保湿剤として、グリセリンに加え、尿素を含有することを特徴とする請求項１に記載の角質改善用積層シート。
【請求項３】
前記保湿剤として、水溶性保湿剤と油溶性保湿剤とを含有することを特徴とする請求項１または２に記載の角質改善用積層シート。
【請求項４】
前記保湿剤含有ポリマー層１００重量％中に、部分的に架橋されたバインダーポリマーを３５〜６０重量％の量で含むことを特徴とする請求項１〜３のいずれかに記載の角質改善用積層シート。
【請求項５】
前記保湿用パッドの粘着力（ＪＩＳ Ｚ ０２３７に準拠）が０．５Ｎ／１９ｍｍ以下であることを特徴とする請求項１〜４のいずれかに記載の角質改善用積層シート。
【請求項６】
前記保湿用パッドのボールタック値（ＪＩＳ Ｚ ０２３７に準拠）が４以下であることを特徴とする請求項１〜５のいずれかに記載の角質改善用積層シート。
【請求項７】
前記固定用粘着シートの粘着力（ＪＩＳ Ｚ ０２３７に準拠）が２〜１２Ｎ／１９ｍｍの範囲にあることを特徴とする請求項１〜６のいずれかに記載の角質改善用積層シート。
【発明の詳細な説明】
【技術分野】
【０００１】
本発明は、肘や膝、踵、指先などの硬くなった皮膚の角質層を軟化させ、皮膚の水分を保持するための積層シート型の角質改善用貼付剤に関する。
【背景技術】
【０００２】
従来、ビタミンＥやビタミンＡ、オリーブオイル、スクワラン、米ぬかなどが、ひびやあかぎれなどの肌荒れを治療することが知られており、これらの成分を含むローション剤や軟膏剤、乳剤などが市販されている。
【０００３】
しかしながら、これらの製剤は、液状もしくは半固形状であるため、塗布する際に手を汚してしまう上、塗布した後で、塗布部に服や布団が接触することにより、上記成分が拭い取られてしまうことから、充分な効果を得ることができなかった。
【０００４】
これに対して、服や布団の接触による成分の損失防止、塗布の煩雑さの解消などを目的としたシート型の貼付剤が提案されている。
【０００５】
たとえば、シート上に角質改善薬を配合した粘着剤層を設けた角質改善シートが提案されている（特許文献１参照）。このなかで、角質改善薬としては、角化性皮膚疾患治療薬と保湿剤とが挙げられ、該保湿剤を粘着剤全体に対して３〜４５重量％配合するとよいことが記載されている。しかしながら、このような貼付剤では、シートが皮膚に貼付している間は充分な保湿効果が得られても、シートの剥離後には効果が薄らいでしまう。
【０００６】
また同様に、支持体に粘着剤層を設けた貼付剤において、即効性かつ持続性を期待して、粘着剤層にグリセリンを６〜３０％（ｗ/ｗ）含ませた肌荒れ治療用貼付剤も提案され
ている（特許文献２参照）。しかしながら、該貼付剤では、グリセリンを多量に含有させると、粘着剤層の表面にグリセリンが浸出して貼付性が悪化したり、粘着剤層の凝集力が小さくなって凝集破壊により貼付部位に粘着層が残ったり（糊残り）、ベタツキを生じたりすることがあった。
【特許文献１】特開平１１−１４７８２０号公報
【特許文献２】特開２０００−２８１５６５号公報
【発明の開示】
【発明が解決しようとする課題】
【０００７】
本発明は、グリセリンをはじめとする保湿剤を多量に含有でき、かつ、皮膚への貼付により貼付部位に保湿剤を放散させ、貼付時のみならず剥離後も皮膚への保湿効果を持続させることができる角質改善用積層シートを提供することを課題としている。
【課題を解決するための手段】
【０００８】
本発明者らは、上記課題を解決すべく鋭意検討した結果、固定用粘着シートと保湿用パッドとからなる積層型の貼付剤によれば、保湿用パッドに、グリセリンをはじめとする保湿剤を多量に含有させることができ、かつ皮膚への貼付により、貼付時のみならず剥離後も保湿効果を持続させることができることを見出して本発明を完成するに至った。
【０００９】
すなわち、本発明に係る角質改善用積層シートは、粘着シート用支持体上に粘着剤層を設けてなる固定用粘着シートと、パッド用支持体上に保湿剤含有ポリマー層を設けてなる保湿用パッドとからなり、固定用粘着シートの粘着剤層上に、保湿用パッドのパッド用支持体が接するように固定されている角質改善用積層シートであって、
前記保湿剤含有ポリマー層１００重量％中に、保湿剤としてのグリセリンを２５〜５５重量％、かつ、グリセリンを含めた保湿剤を３０〜６０重量％の量で含むことを特徴としている。
【００１０】
前記保湿剤として、グリセリンに加えて尿素を含有することが好ましい。
【００１１】
また、前記保湿剤として、水溶性保湿剤と油溶性保湿剤とを含有することも好ましい。
【００１２】
さらに、本発明では、前記保湿剤含有ポリマー層１００重量％中に、部分的に架橋されたバインダーポリマーを３５〜６０重量％の量で含むことが好ましい。
【００１３】
前記保湿用パッドの粘着力（ＪＩＳ Ｚ ０２３７に準拠）は、０．５Ｎ／１９ｍｍ以下であることが好ましい。
【００１４】
前記保湿用パッドのボールタック値（ＪＩＳ Ｚ ０２３７に準拠）は、４以下であることが好ましい。
【００１５】
前記固定用粘着シートの粘着力（ＪＩＳ Ｚ ０２３７に準拠）は、２〜１２Ｎ／１９ｍｍの範囲にあることが好ましい。
【発明の効果】
【００１６】
本発明の角質改善用積層シートによれば、グリセリンをはじめとする保湿剤を、保湿用パッド表面あるいは固定用粘着シートに浸出あるいは浸潤させることなく、保湿用パッドにより多量に含有させることができ、かつ皮膚への貼付により、貼付部位に保湿剤が有効に放散され、貼付時のみならず剥離後も皮膚への保湿効果を持続させることができる。
【００１７】
また、本発明の角質改善用積層シートでは、保湿用パッドの粘着力やボールタック値は低いものの、保湿用パッドと固定用粘着シートとの積層型にすることにより、これを補うことができる。さらに、保湿用パッドに部分的に架橋されたバインダーポリマーを含有しているため、多量の保湿剤を含有させても凝集破壊が起こらず、糊残りやベタツキなどがなく、使用感に優れる。
【００１８】
さらに、本発明の角質改善用積層シートでは、水溶性保湿剤と油溶性保湿剤とを併用することにより、皮膚表面を油溶性保湿剤の油膜で覆い、皮膚表面の水分損失を抑制するとともに、水溶性保湿剤の角質層への浸透を促進することができる。
【発明を実施するための最良の形態】
【００１９】
以下、本発明について具体的に説明する。
【００２０】
本発明の角質改善用積層シートは、粘着シート用支持体上に粘着剤層を設けてなる固定用粘着シートと、パッド用支持体上に保湿剤含有ポリマー層を設けてなる保湿用パッドとからなり、固定用粘着シートの粘着剤層上に、保湿用パッドのパッド用支持体が接するように固定されている角質改善用積層シートであって、
前記保湿剤含有ポリマー層１００重量％中に、保湿剤としてのグリセリンを２５〜５５重量％、かつ、グリセリンを含めた保湿剤を３０〜６０重量％の量で含むことを特徴としている。
【００２１】
まず、本発明の角質改善用積層シートの構造について、図１にもとづいて説明する。
【００２２】
図１中、角質改善用積層シート１は、固定用粘着シート３と保湿用パッド５とからなり
、必要に応じて剥離材７を備えていてもよい。このような構造をとることにより、保湿用パッド５の粘着力およびボールタック値が低くても、固定用粘着シート３により、皮膚に貼付、固定することができる。また、剥離材７を備えた場合には、未使用の保湿用パッド５や固定用粘着シート３を乾燥、埃の付着などから保護することができる。
【００２３】
前記固定用粘着シート３は、粘着シート用支持体２上に、粘着剤層４を設けてなり、また、保湿用パッド５は、パッド用支持体６上に、保湿剤含有ポリマー層８を設けてなる。
【００２４】
固定用粘着シート３には保湿用パッド５が固定されているが、この場合、固定用粘着シート３の粘着剤層４上に、保湿パッド５のパッド用支持体６が接するようにして、保湿パッド５を固定用粘着シート３に固定する。
【００２５】
なお、前記固定用粘着シート３および保湿用パッド５の大きさは、それぞれ必要に応じて決定することができ、特に限定されるものではないが、固定用粘着シート３に保湿用パッド５を固定して角質改善用積層シート１を形成し、これを皮膚に貼着し固定する点からは、固定用粘着シート３は保湿用パッド５よりも大きいことが好ましい。具体的にはたとえば、固定用粘着シート３および保湿用パッド５がともに合同な矩形である場合には、該保湿用パッド５を固定用粘着シート３に積層し固定した状態で、保湿用パッド５と固定用粘着シート３との積層に供されていない固定用粘着シート３の部分が各辺につき５ｍｍ以上存在することが好ましい。
【００２６】
次に各構成要素についてより具体的に説明する。
【００２７】
前記固定用粘着シート３を構成する粘着シート用支持体２としては、皮膚の動きへの追従性、すなわち、柔軟性を有するものであれば特に限定されず用いることができる。具体的には、樹脂フィルム、不織布、布、またはこれらの貼合品などが挙げられる。樹脂フィルムとしては、公知のポリマーを使用することができ、ポリエチレン、ポリプロピレン、ポリ塩化ビニル、ポリウレタン、ポリエステル、エチレン−酢酸ビニル共重合体などが例示される。不織布または布としては、特に限定されないが、たとえば、ポリエチレン、ポリプロピレン、ポリウレタン、ポリエステルなどの合成繊維や、綿、絹などの天然繊維を用いて得ることができる。なお、該支持体２が不織布または布である場合には、これらの繊維は１種単独で用いてもよく、２種以上の混紗であってもよい。
【００２８】
また、前記固定用粘着シート３を構成する粘着剤層４に用いられる粘着剤としては、皮膚への刺激が少ない粘着剤を使用することが好ましく、特に限定されないが、溶剤系、エマルション系、ホットメルト系の粘着剤が挙げられる。具体的には、たとえば、（メタ）アクリル酸のホモポリマーあるいはコポリマー、（メタ）アクリル酸エステルのホモポリマーあるいはコポリマー、（メタ）アクリル酸および（メタ）アクリル酸エステルのコポリマー、ウレタンポリマー、ゴム系ポリマー、シリコーン系ポリマーを含む粘着剤が挙げられる。なお、該粘着剤は公知の架橋剤を含んでいてもよい。
【００２９】
前記固定用粘着シート３の粘着力（ＪＩＳ Ｚ ０２３７に準拠）は、通常２〜１２Ｎ／１９ｍｍ、好ましくは３〜１０Ｎ／１９ｍｍの範囲である。固定用粘着シート３の粘着力が上記範囲内にあると、角質改善用積層シート１を皮膚上に、本発明の効果を奏するに充分な時間固定することができる。
【００３０】
前記保湿用パッド５を構成するパッド用支持体６としては、後述する保湿剤含有ポリマー層８に用いられる、部分的に架橋されたバインダーポリマーとの密着性のよいものであることが好ましく、この限りにおいて特に限定されないが、具体的には、前記粘着シート用支持体２として既述した、樹脂フィルム、不織布、布またはこれらの貼合品などが挙げ
られる。
【００３１】
これらのうちでは、ポリエチレン、ポリプロピレン、ポリウレタン、ポリエステルなどの合成繊維や、綿、絹などの天然繊維を用いて得られた不織布あるいは布が好ましく、これらの繊維を１種単独で用いたものでもよく、２種以上の混紗であってもよい。
【００３２】
なお、貼付した部位の皮膚の水分を保ち、保湿用パッド５の保湿性を充分に発揮させる点からは、これら不織布または布と、非透湿性のフィルム（たとえば、前記粘着シート用支持体２として例示した樹脂フィルムのうち、非透湿性のもの）との貼合品を用いることが好ましい。
【００３３】
前記保湿用パッド５を構成する保湿剤含有ポリマー層８は、保湿剤含有ポリマー層８の１００重量％中に、通常、保湿剤としてのグリセリンを２５〜５５重量％、かつ、グリセリンを含めた保湿剤を３０〜６０重量％の量で含んでいる。
【００３４】
前記保湿剤としては、グリセリン、１，３−ブチレングリコール、ポリエチレングリコール、ソルビトール、マルチトールなどの多価アルコール、ヒアルロン酸、ヒアルロン酸ナトリウム、ｄｌ−ピリドンカルボン酸、グリチルリチン酸ジカリウムなどのカルボン酸またはその塩、ブドウ糖、果糖などの糖類、トリメチルグリシンなどのアミノ酸類、シソエキス、アロエエキス、菌糸エキス、プラセンタ（胎盤）エキス、ヨモギエキス、甘草エキス、アルニカエキス、マロニエエキス、酵母エキスなど水抽出エキス、ヒドロキシプロリン、ベタイン、尿素などの水溶性保湿剤と、
ヒマワリオイル、ホホバオイル、オリーブオイル、ラッカセイオイル、ダイズオイル、ツバキオイル、馬油、ラノリン、ローズマリー、コモンライム、大豆リン脂質などの動植物からの抽出物、セタノール、バイオγリノレニン、レシチン、セラミド、コレステロール、スクワラン、ワセリン、脂肪酸類、脂肪酸エステル類などの油溶性保湿剤とが挙げられる。
【００３５】
なお、本明細書中、水溶性保湿剤とは、皮膚の水分量を保持し保湿に寄与する物質のうち水溶性のものを意味する。また、油溶性保湿剤とは、皮膚の水分量を保持し保湿に寄与する物質のうち油溶性のものを意味し、動植物油などのいわゆる油分も包含する意味である。これらの動植物油も皮膚表面を油膜で覆い皮膚の水分量を保つことができる。
【００３６】
これらのうち、本発明では、グリセリンを必須の保湿剤として、保湿剤含有ポリマー層８の１００重量％中に、通常２５〜５５重量％、好ましくは３０〜５５重量％、より好ましくは３５〜５５重量％、さらに好ましくは４０〜５５重量％の量で含有する。上記範囲の量でグリセリンを含んでいると、皮膚に対する保湿効果が向上し、本発明の角質改善容積層シート１を皮膚に貼付して剥離した後にも、長期間に渡って、保湿効果を維持することができる。
【００３７】
さらに、本発明では、保湿剤含有ポリマー層８の１００重量％中に、グリセリンを含めた保湿剤を合計で、通常３０〜６０重量％、好ましくは４０〜６０重量％、より好ましくは４５〜６０重量％、さらに好ましくは５０〜６０重量％の量で含んでいることが望ましい。
【００３８】
すなわち、前記保湿剤として、グリセリンの他にグリセリン以外の保湿剤成分を含有していることが好ましい。グリセリン以外の保湿剤としては、保湿剤として上述したもの（グリセリンを除く）が挙げられ、これらのうちでは、水溶性保湿剤としては尿素が好ましく、油溶性保湿剤としては、ヒマワリオイル、ホホバオイルなどの植物油が好ましい。
【００３９】
さらに、本発明では、このような水溶性保湿剤と油溶性保湿剤とを併用することがより好ましく、水溶性保湿剤と油溶性保湿剤とを併用する場合には、保湿剤１００重量％中に、油溶性保湿剤を通常５〜４０重量％の量で含有させることが望ましい。
【００４０】
さらに、本発明では、前記保湿剤含有ポリマー層８は、保湿剤含有ポリマー層８の１００重量％中に、部分的に架橋されたバインダーポリマーを通常３５〜６０重量％の量で含んでいる。
【００４１】
前記部分的に架橋されたバインダーポリマーは、部分架橋性ポリマーが物理的架橋または化学的架橋によって部分的に架橋されたものであり、保持力が高く、前記保湿剤を多量に含有させることができる。
【００４２】
具体的には、該バインダーポリマーに、グリセリンをはじめとする保湿剤を多量に含有させた場合にも、保湿剤の浸出や浸潤などを起こさない上、凝集破壊を生じることもなく、皮膚に貼付して剥離した後にも糊残りやベタツキを生じない。
【００４３】
前記部分的に架橋されたバインダーポリマーは、その保持力（ＪＩＳ Ｚ ０２３７に準拠）が通常１００００秒以上、好ましくは３００００秒以上、より好ましくは５００００秒以上であることが望ましい。
【００４４】
また、水溶性保湿剤のみならず油溶性保湿剤をも好適に含有させることができる点からは、水溶性基剤および油溶性基剤をともに保持できるポリマーであることが好ましい。
【００４５】
前記部分的に架橋されたバインダーポリマーに用いられる、部分架橋性ポリマーとしては、具体的には、たとえば、（メタ）アクリル酸のホモポリマーあるいはコポリマー、（メタ）アクリル酸エステルのホモポリマーあるいはコポリマー、（メタ）アクリル酸および（メタ）アクリル酸エステルのコポリマー、ゴム系ポリマーなどが挙げられる。これらのうちでは、（メタ）アクリル酸および（メタ）アクリル酸エステルのコポリマーが好ましい。
【００４６】
なお、前記部分架橋性ポリマーを化学的架橋させるための架橋剤としては、ヘキサメチレンジエチレンウレアなどのアジリジン系架橋剤、ポリイソシアネートなどのイソシアネート系架橋剤、エポキシ系架橋剤、メラミン系架橋剤、カルボン酸系架橋剤などが挙げられる。化学的架橋の場合には、このような架橋剤を、前記部分架橋性ポリマー１００重量部に対して、通常０．０１〜２重量部、好ましくは０．０５〜１．５重量部の量で用いて、架橋させることにより、部分的に架橋されたバインダーポリマーを得ることができる。
【００４７】
本発明では、前記部分的に架橋されたバインダーポリマーを、保湿剤含有ポリマー層８の１００重量％中に、通常３５〜６０重量％、好ましくは３５〜５５重量％、より好ましくは４０〜５５重量％の量で含む。
【００４８】
部分的に架橋されたバインダーポリマーを、上記範囲の量で含むことにより、保湿剤含有ポリマー層８中の相対的な保湿剤の量を増やすことができる。さらに、既述したように該バインダーポリマーは、保持力が高く、保湿剤を多量に含有させた場合にも保湿剤の浸出や浸潤などを起こさない上、凝集破壊も起こさず、皮膚に貼付して剥離した後にも糊残りやベタツキを生じない。
【００４９】
さらに、前記保湿剤含有ポリマー層８には、本発明の目的を損なわない範囲内において、その他の成分、具体的には、トコフェロール、パラベン、パルミチン酸デキストリンなどの安定剤や、フルーツ酸などの角質軟化剤、ビタミン類、使用者の識別を目的とした着
色剤、香料、界面活性剤、ｐＨ調整剤、水などを含んでいてもよい。これらその他の成分は合計で、保湿剤含有ポリマー層８の１００重量％中に、通常０〜１０重量％の量で含まれていてもよい。
【００５０】
前記保湿用パッド５の粘着力（ＪＩＳ Ｚ ０２３７に準拠）は、通常０．５Ｎ／１９ｍｍ以下であり、０〜０．３Ｎ／１９ｍｍであってもよい。また、前記保湿用パッド５のボールタック値（ＪＩＳ Ｚ ０２３７に準拠）は、通常４以下であり、０〜３であってもよい。
【００５１】
保湿用パッド５の粘着力が０．５Ｎ／１９ｍｍ以下、ボールタック値が４以下であっても、本発明では、固定用粘着シート３との積層構造を有するため、皮膚に充分に貼付し固定することができる。すなわち、保湿用パッド５にグリセリンをはじめとする保湿剤を多量に含有させた場合にも、該保湿用パッド５と固定用粘着シート３とからなるため、角質改善用積層シート１を皮膚上に、本発明の効果を奏するに充分な時間固定することができる。
【００５２】
なお、本発明の角質改善用積層シート１には、前記保湿剤含有ポリマー層８および固定用粘着シート３の粘着剤層４を乾燥や埃などから保護するために、剥離材７が設けられていてもよい。
【００５３】
前記剥離材７としては、紙や樹脂フィルムの片面あるいは両面に、シリコーン樹脂などの剥離剤を塗布したものであればよく、公知のものを用いることができ、特に限定されないが、前記保湿剤含有ポリマー層８および固定用粘着シート３の粘着剤層４からの剥離力が高くないものが好ましい。
【００５４】
以下、実施例に基づいて本発明をさらに具体的に説明するが、本発明はこれらの実施例に限定されるものではない。
【実施例１】
【００５５】
＜固定用粘着シートの作製＞
アクリル酸２−エチルヘキシル／アクリル酸ブチル／メタアクリル酸（６０／３５／５重量％）コポリマーの酢酸エチル溶液に、架橋剤としてポリイソシアネートを、該コポリマーの固形分１００重量部に対して１．５重量部の量となるように添加し、均一になるように攪拌した。
【００５６】
次に、この溶液を、シリコーン樹脂で処理されたポリエステルフィルム（厚さ３８μｍ）からなる剥離材上に、均一な面（乾燥後の厚さが２５μｍ）となるように塗布し、乾燥機にて加熱して、溶媒を除去し、剥離材上に粘着剤層を形成した。
【００５７】
該粘着剤層を、ポリエステル不織布（坪量５０ｇ/ｍ2）からなる粘着シート用支持体と貼りあわせ、１３０ｍｍ×９０ｍｍの長方形に断裁し、剥離材付きの固定用粘着シートを得た。
【００５８】
＜保湿用パッドの作製＞
表１の組成および配合比に従って保湿用パッドを作製した。
【００５９】
具体的には、ホホバオイルとヒマワリオイルとを混合した溶液Ａと、グリセリンに尿素とフルーツ酸を加えて溶解した溶液Ｂとを混合し、この溶液ＡとＢとの混合物と、ヘキサメチレンジエチレンウレアとを、アクリル酸２−エチルヘキシル／アクリル酸ブチル／メタアクリル酸（５８／３７／５重量％）コポリマーの酢酸エチル溶液に添加して２０分間
攪拌した。
【００６０】
得られた溶液を、シリコーン樹脂で処理されたポリエステルフィルム（厚さ３８μｍ）からなる剥離材上に、均一な面（乾燥後の厚さが６０μｍ）となるように塗布し、乾燥機にて加熱して、溶媒を除去し、剥離材上に保湿剤含有ポリマー層を形成した。
【００６１】
該保湿剤含有ポリマー層を、ポリエステル不織布（坪量５０ｇ/ｍ2）とポリエチレンフィルム（厚さ３０μｍ）との貼合品からなるパッド用支持体のポリエステル不織布面と貼りあわせ、１００ｍｍ×６０ｍｍの長方形に断裁し、剥離材付きの保湿用パッドを得た。
【００６２】
＜角質改善用積層シートの作製＞
上記のようにして得られた、剥離材付きの固定用粘着シートの剥離材を剥がし、粘着剤層の面が上になるようにして置いた後、剥離材付きの保湿用パッドから剥離材を剥がし、パッド用支持体が固定用粘着シートの粘着剤層と接するように、保湿用パッドを固定用粘着シート上の所定の位置に置いて積層した。
【００６３】
さらに、その上から、シリコーン樹脂で処理されたポリエステルフィルム（厚さ５０μｍ）剥離材を貼りあわせ、剥離材付き角質改善用積層シートを得た。
【実施例２】
【００６４】
表１に従って、保湿用パッドの組成および配合比を変更したほかは、実施例１と同様にして剥離材付き角質改善用積層シートを得た。
【実施例３】
【００６５】
保湿用パッドの作製の際に、溶液Ａとしてホホバオイルとスクワランとを混合した溶液を用い、表１に従って保湿用パッドの組成および配合比を変更したほかは、実施例１と同様にして剥離材付き角質改善用積層シートを得た。
【実施例４】
【００６６】
保湿用パッドの作製の際に、溶液Ａとしてヒマワリオイルとスクワランとを混合した溶液を用い、表１に従って保湿用パッドの組成および配合比を変更したほかは、実施例１と同様にして剥離材付き角質改善用積層シートを得た。
【実施例５】
【００６７】
表１に従って、保湿用パッドの組成および配合比を変更したほかは、実施例１と同様にして剥離材付き角質改善用積層シートを得た。
【実施例６】
【００６８】
保湿用パッドの作製の際に、溶液Ａとしてホホバオイルを用い、表１に従って、保湿用パッドの組成および配合比を変更したほかは、実施例１と同様にして剥離材付き角質改善用積層シートを得た。
【００６９】
[比較例１]
保湿用パッドの作製の際に、溶液Ａを用いず、溶液Ｂとしてグリセリンに尿素を加えて溶解した溶液を用い、この溶液Ｂと、ヘキサメチレンジエチレンウレアとを、アクリル酸２−エチルヘキシル／アクリル酸ブチル／メタアクリル酸（５８／３７／５重量％）コポリマーの酢酸エチル溶液に添加し、表１に従って、保湿用パッドの組成および配合比を変更したほかは、実施例１と同様にして剥離材付き角質改善用積層シートを得た。
【００７０】
[比較例２]
表１に従って保湿用パッドの組成および配合比を変更したほかは、実施例１と同様にして剥離材付き角質改善用積層シートを得た。
【００７１】
[比較例３]
保湿用パッドの作製の際に、溶液Ａを用いず、溶液Ｂとしてグリセリンを用い、この溶液Ｂと、ヘキサメチレンジエチレンウレアとを、アクリル酸２−エチルヘキシル／アクリル酸ブチル／メタアクリル酸（５８／３７／５重量％）コポリマーの酢酸エチル溶液に添加し、表１に従って、保湿用パッドの組成および配合比を変更したほかは、実施例１と同様にして剥離材付き角質改善用積層シートを得た。
【００７２】
[比較例４]
表１に従って、固定用粘着シートの配合比を変更したほかは、実施例１と同様にして固定用粘着シートを作製し、さらに比較例３と同様にして保湿用パッドを作製したほかは、実施例１と同様にして剥離材付き角質改善用積層シートを得た。
【００７３】
[試験例]
下記の評価方法に従い、部分的に架橋されたバインダーポリマー、保湿用パッド、固定用粘着シート、角質改善用積層シートを評価した。
【００７４】
（１）部分的に架橋されたバインダーポリマーの保持力評価
保湿用パッドの作製の際に、保湿剤（グリセリン、尿素、ホホバオイル、ヒマワリオイル、スクワラン）および角質軟化剤（フルーツ酸）を用いず、ヘキサメチレンジエチレンウレアと、アクリル酸２−エチルヘキシル／アクリル酸ブチル／メタアクリル酸（５８／３７／５重量％）コポリマーの酢酸エチル溶液とを用い、表１の実施例１〜６および比較例１〜４の保湿用パッドの配合比に従って、部分的に架橋されたバインダーポリマーからなるパッドをそれぞれ形成した。
【００７５】
これらのパッドを用いてＪＩＳ Ｚ ０２３７に準拠して保持力を測定した。
【００７６】
結果を表１に示した。
【００７７】
（２）保湿用パッドの粘着力評価
実施例１〜６および比較例１〜４でそれぞれ作製した剥離材付き保湿用パッドを、幅１９ｍｍに切断し、剥離材を剥がして試験片とし、ＪＩＳ Ｚ ０２３７に準拠して粘着力を測定した。
【００７８】
結果を表1に示した。
【００７９】
（３）保湿用パッドのボールタック値
実施例１〜６および比較例１〜４でそれぞれ作製した剥離材付き保湿用パッドを用いて、剥離材を剥がし、ＪＩＳ Ｚ ０２３７に準拠してボールタック値を測定した。
【００８０】
結果を表1に示した。
【００８１】
（４）固定用粘着シートの粘着力評価
実施例１〜６および比較例１〜４でそれぞれ作製した剥離材付き固定用粘着シートを、幅１９ｍｍに切断して、剥離材を剥がし試験片とし、ＪＩＳ Ｚ ０２３７に準拠して粘着力を測定した。
【００８２】
結果を表1に示した。
【００８３】
（５）角質改善効果の評価
実施例１〜６および比較例１〜４でそれぞれ作製した剥離材付き角質改善用積層シートから剥離材を剥がし、それぞれ１０人をモニターとして、適用部位（踵）に８時間貼付し、剥離直後および剥離４時間後の保湿効果（保湿感）を下記の評価に従い評価した。
【００８４】
結果を表１に示した（表１中の評価点数は１０人の平均値を示す）。
【００８５】
５点・・・保湿感が充分にある
４点・・・保湿感が適度にある
３点・・・保湿感が少しある
２点・・・保湿感がほとんどない
１点・・・保湿感が全くない
（６）ベタツキおよび糊残りの評価
実施例１〜６および比較例１〜４で作製した剥離材付き角質改善用積層シートから剥離材を剥がし、それぞれ１０人をモニターとして、適用部位（踵）に８時間貼付し、剥離直後のベタツキ感を下記の評価に従い評価した。
【００８６】
結果を表１に示した（表１中の評価点数は１０人の平均値を示す）。
【００８７】
なお、全ての例において糊残りは観察されなかった。
【００８８】
５点・・・ベタツキを全く感じない
４点・・・わずかにベタツキがある
３点・・・少しベタツキがある
２点・・・かなりベタツキがある
１点・・・極めてベタツキがある
【００８９】
【表１】
2005053817.tif 000003
【図面の簡単な説明】
【００９０】
【図１】図１は、本発明に係る角質改善用積層シートの概略図である。
【符号の説明】
【００９１】
１：  角質改善用積層シート
２：  粘着シート用支持体
３：  固定用粘着シート
４：  粘着剤層
５：  保湿用パッド
６：  パッド用支持体
７：  剥離材
８：  保湿剤含有ポリマー層
【図１】
2005053817.tif 000004